(57)【要約】【課題】患者と、その患者から採取した尿の量、比重の測定値とを、誤りなく正確に対応付けること。【解決手段】病院８のナースセンタ２には、患者の右手の人差し指の指紋である生体情報を検出する第１生体情報検出手段１４が設置される。便所の汚物処理室３には、患者の尿の量と比重とを測定する蓄尿測定装置本体２１と、指紋を検出する第２生体情報検出手段２２とが設置される。患者は、第１生体情報検出手段１４によって指紋が検出された後、汚物処理室３で、第２生体情報検出手段２２によって同じ指の指紋が検出される。第１および第２生体情報検出手段１４，２２によって検出された指紋が、第２処理回路５で照合され、一致していれば、蓄尿測定装置本体２１の蓋４９が開かれ、患者は、コップに採取した尿を、投入容器４７に投入する。こうして尿の量と比重とが測定され、その測定値を表す信号は第２処理回路５から、ナースセンタ３の第１処理回路４に通信装置６，７を介して伝送される。【選択図】      図１
2004279164.tif 000002
【特許請求の範囲】
【請求項１】
第１の場所に設けられ、人を識別する生体情報を検出する第１生体情報検出手段と、
第１生体情報検出手段の出力が与えられる第１処理回路と、
第１の場所から離間した第２の場所に設けられ、人の尿の量と比重とを測定する装置本体と、
第２の場所に設けられ、人を識別する生体情報を検出する第２生体情報検出手段と、
第２処理回路であって、
第１処理回路を介する第１生体情報検出手段によって検出された第１生体情報が与えられ、
第１生体情報と、第２生体情報検出手段によって検出された第２生体情報との照合を行い、
第１および第２生体情報が一致したとき、装置本体を能動化し、一致しないとき、装置本体を動作させず、
装置本体によって測定された尿の量と比重とを、第１処理回路に与える第２処理回路とを含むことを特徴とする蓄尿測定装置。
【請求項２】
第１および第２処理回路は、無線通信装置を介して信号の送受信を行うことを特徴とする請求項１記載の蓄尿測定装置。
【請求項３】
第１処理回路から第２処理回路に与えられる第１生体情報を、着脱可能な記録媒体に書込み、この記録媒体のストア内容を読出す第１の書込み／読出し装置と、
第１処理回路から第２処理回路に与えられる第１生体情報を、記録媒体から読出し、第２処理回路から第１処理回路に与えられる測定結果を、着脱可能な記録媒体に書込む第２の書込み／読出し装置とを含むことを特徴とする請求項１または２記載の蓄尿測定装置。
【請求項４】
第１および第２生体情報は、指紋、眼底血管像および声紋のうちの１つであることを特徴とする請求項１〜３のうちの１つに記載の蓄尿測定装置。
【請求項５】
第２場所の装置本体の近傍には、
人の接近を検出する人体検出手段と、
接近した人に目視表示する目視表示手段と、
接近した人に音響表示する音響表示手段とが設置され、
第２処理回路は、
人体検出手段の出力に応答し、目視表示手段と音響表示手段とによって、人が第２生体情報検出手段に生体情報を提供する動作を促す内容を出力することを特徴とする請求項１〜４のうちの１つに記載の蓄尿測定装置。
【請求項６】
第１および第２生体情報検出手段は、人の手の指の指紋を検出する構成を有し、
目視表示手段は、第２生体情報検出手段の指を提示する検出領域の近傍で、その検出領域を目視表示し、
音響表示手段は、人の手の予め定める指を前記検出領域に提示する動作を促す内容を表す音声合成された音響を出力することを特徴とする請求項５記載の蓄尿測定装置。
【請求項７】
第１の場所はナースセンタであり、
第２の場所は汚物処理室であることを特徴とする請求項１〜６のうちの１つに記載の蓄尿測定装置。
【請求項８】
装置本体は、
上方に開口した尿の投入口を有する投入容器と、
投入容器の下方に配置され、投入容器からの尿が供給され、予め定める貯留量以上の尿を溢流して排出する貯留容器と、
投入容器と貯留容器との間の流路の途中に介在され、尿の流量を検出する流量計と、
貯留容器の尿の比重を検出する比重計とを含み、
第２処理回路は、
流量計の出力に応答し、尿の量を積算して求める演算手段を有し、
尿の量と比重計によって検出された比重とを、第１処理回路に与えることを特徴とする請求項１記載の蓄尿測定装置。
【請求項９】
貯留容器の尿を、複数の試料容器に分注する手段をさらに含むことを特徴とする請求項８記載の蓄尿測定装置。
【請求項１０】
装置本体は、
投入容器の上方で投入口を開閉する蓋と、
蓋を開閉動作する蓋駆動手段とを含み、
第２処理回路は、前記照合の結果、第１および第２生体情報が一致しているとき、蓋駆動手段によって蓋を開く動作を行うことを特徴とする請求項８または９記載の蓄尿測定装置。
【発明の詳細な説明】
【０００１】
【発明の属する技術分野】
本発明は、たとえば病院などにおいて用いられる蓄尿測定装置に関する。
【０００２】
【従来の技術】
蓄尿測定装置の典型的な先行技術は、特許文献１である。蓄尿測定装置は、患者の採取された１回の尿の量および比重を測定する機能を有する。蓄尿測定装置は、たとえば便所の汚物処理室などに設置され、患者が採取されたコップ内の尿を、投入することによって、測定動作が行われる。
【０００３】
従来から患者の氏名と、採取された尿の測定値とを対応させるために、患者の複数の氏名と、各氏名に対応した押釦とが設けられ、患者は、自分の名前が記載された押釦を押圧操作し、投入する尿に対応する氏名の入力を行う。
【０００４】
このような先行技術の問題は、患者が自分の氏名とは異なる他人の氏名に対応した押釦を誤って操作することがあり、また押釦の操作を行わずに尿を投入してしまうことである。これによって投入された尿の測定値と正しい患者の氏名との対応付けが不可能になる。患者は、老人が多く、押釦の操作誤りを生じやすく、このような先行技術は、老人の患者にとって、不都合である。
【０００５】
この問題を解決する他の先行技術は、尿を採取するコップなどの容器に、患者の氏名を表すバーコードが貼付され、このようなバーコードが表示されたコップを、病院内の看護婦などが、患者を確認しながら、コップを手渡す。この先行技術の新たな問題は、コップにバーコードを誤って貼付するということである。誤ったバーコードが表す他人の氏名が表示されたコップに、そのバーコードが表す氏名とは異なる患者の尿が採取される結果になる。
【０００６】
【特許文献１】
特許第２８９９９２６号
【０００７】
【発明が解決しようとする課題】
本発明の目的は、尿を採取すべき被験者と、尿の量および比重の測定値を、誤りなく正確に対応付けることができるようにした蓄尿測定装置を提供することである。
【０００８】
【課題を解決するための手段】
本発明は、第１の場所に設けられ、人を識別する生体情報を検出する第１生体情報検出手段と、
第１生体情報検出手段の出力が与えられる第１処理回路と、
第１の場所から離間した第２の場所に設けられ、人の尿の量と比重とを測定する装置本体と、
第２の場所に設けられ、人を識別する生体情報を検出する第２生体情報検出手段と、
第２処理回路であって、
第１処理回路を介する第１生体情報検出手段によって検出された第１生体情報が与えられ、
第１生体情報と、第２生体情報検出手段によって検出された第２生体情報との照合を行い、
第１および第２生体情報が一致したとき、装置本体を能動化し、一致しないとき、装置本体を動作させず、
装置本体によって測定された尿の量と比重とを、第１処理回路に与える第２処理回路とを含むことを特徴とする蓄尿測定装置である。
【０００９】
また本発明は、第１および第２処理回路は、無線通信装置を介して信号の送受信を行うことを特徴とする。
【００１０】
本発明に従えば、たとえば病院のナースセンタなどの第１の場所に第１生体情報検出手段が設置され、患者などの人を識別する生体情報を検出する。生体情報というのは、たとえば指紋、眼底血管像、声紋などであってもよく、人体を識別するために用いることができる情報である。指紋は、手の指の指紋であってもよく、特に右手の人差し指の指紋が、操作上、好都合である。第１生体情報検出手段によって検出された生体情報は、たとえばマイクロコンピュータなどによって実現される第１処理回路から第２処理回路に、通信装置などによって送信される。第１の場所から離間した第２の場所、たとえば便所などの汚物処理室には、患者である人の尿の量と比重とを測定する蓄尿測定装置本体が設置され、この装置本体のたとえば近傍に、第２生体情報検出手段が設置される。第２生体情報検出手段は、前述の第１生体情報検出手段と同様に、患者である人を識別する生体情報を検出する。第１および第２生体情報検出手段は、同一の生体情報を検出し、すなわち両者いずれも、人の右手の人差し指の指紋を検出する。
【００１１】
第２処理回路は、マイクロコンピュータなどによって実現され、前述の第１処理回路を介する第１生体情報検出手段によって検出された生体情報と、装置本体から得られる尿の量および比重の測定値と、第２生体情報検出手段によって検出された生体情報とが与えられ、第１および第２生体情報を照合して一致していれば、装置本体を能動化し、検出された生体情報と測定値とを対応させて、第２処理回路から第１処理回路に通信装置によって伝送する。こうして第１処理回路では、生体情報に対応した尿の量と比重の測定値を正確に得ることができるようになる。
【００１２】
第１および第２生体情報の照合の結果、一致しなければ、装置本体が動作されず、不能動化されたままである。したがって第１生体情報検出手段によって検出された生体情報を有する人に対応していない測定値が得られるおそれはない。
【００１３】
本発明の実施の他の形態では、第１処理回路は、第１生体情報検出手段からの検出された生体情報を表す信号を受信する代りに、メモリに予めストアされた生体情報を読出して第１処理回路から第２処理回路に伝送するようにしてもよい。
【００１４】
本発明の実施のさらに他の形態では、第２場所には、装置本体と第２生体情報検出手段だけが設置され、第２処理回路が省略され、第２処理回路の動作は、第１処理回路によって実行されるようにしてもよい。装置本体と第２生体情報検出手段との各出力は、通信装置によって、第１処理回路に伝送され、第１処理回路によって装置本体の動作が制御される。
【００１５】
通信装置は、有線であってもよいが、無線信号を送受信する構成によって実現されてもよい。無線通信装置を用いることによって、病院の建物内に通信線を布設する必要がなく、本発明の実施が容易である。
【００１６】
また本発明は、第１処理回路から第２処理回路に与えられる第１生体情報を、着脱可能な記録媒体に書込み、この記録媒体のストア内容を読出す第１の書込み／読出し装置と、
第１処理回路から第２処理回路に与えられる第１生体情報を、記録媒体から読出し、第２処理回路から第１処理回路に与えられる測定結果を、着脱可能な記録媒体に書込む第２の書込み／読出し装置とを含むことを特徴とする。
【００１７】
本発明に従えば、たとえば通信装置が故障した場合、第１の書込み／読出し装置に、第１生体情報検出手段によって検出された生体情報を、第１処理回路の働きによって与えて、記録媒体にストアする。患者または看護婦は、この記録媒体を、第１場所から第２場所に運び、第２場所に設けられている第２の書込み／読出し装置に装着してその記録媒体に書込まれた第１生体情報を第２処理回路が読出す。こうして第２処理回路は、第１および第２生体情報の照合を行い、一致していれば、蓄尿測定装置本体によって測定された患者の尿の量と比重の測定値を、第２処理回路の働きによって第２の書込み／読出し装置によって記録媒体に書込む。こうして一致している第１および第２生体情報に対応した測定値が記録媒体に書込まれてストアされた状態となる。
【００１８】
患者または看護婦は、この記録媒体を、第２場所から第１場所に運び、第１の書込み／読出し装置に装着してストア内容を読出し、第１処理回路で演算処理し、統計などの演算を行うことができる。記録媒体は、たとえばＩＣ（集積回路）カードなどのような半導体集積回路を用いた構成であってもよく、フロッピディスクなどの磁気記録媒体であってもよく、さらに光・磁気特性を利用した記録媒体などであってもよい。
【００１９】
また本発明は、第１および第２生体情報は、指紋、眼底血管像および声紋のうちの１つであることを特徴とする。
【００２０】
第１および第２場所にそれぞれ設置される第１および第２生体情報検出手段によって検出される生体情報は、同一種類のものであって、前述のように指紋、眼底血管像、声紋のうちの１つであってもよく、さらにそのほかの人の識別機能を達成する生体情報であってもよい。
【００２１】
また本発明は、第２場所の装置本体の近傍には、
人の接近を検出する人体検出手段と、
接近した人に目視表示する目視表示手段と、
接近した人に音響表示する音響表示手段とが設置され、
第２処理回路は、
人体検出手段の出力に応答し、目視表示手段と音響表示手段とによって、人が第２生体情報検出手段に生体情報を提供する動作を促す内容を出力することを特徴とする。
【００２２】
また本発明は、第１および第２生体情報検出手段は、人の手の指の指紋を検出する構成を有し、
目視表示手段は、第２生体情報検出手段の指を提示する検出領域の近傍で、その検出領域を目視表示し、
音響表示手段は、人の手の予め定める指を前記検出領域に提示する動作を促す内容を表す音声合成された音響を出力することを特徴とする。
【００２３】
また本発明は、第１の場所はナースセンタであり、
第２の場所は汚物処理室であることを特徴とする。
【００２４】
本発明に従えば、たとえば病院の第１場所であるナースセンタなどで前述のように第１生体情報検出手段で生体情報が検出された患者は、第２場所である便所などの汚物処理室に移動する。第２場所に設置された蓄尿測定装置本体の近傍には、人体検出手段が設けられ、人の装置本体への接近が検出され、この検出によって第２処理回路は、目視表示手段と音響表示手段とを動作させ、人が第２生体人体検出手段に生体情報を提供する動作を促す内容を出力する。たとえば第２生体情報検出手段は、蓄尿測定装置本体のハウジング内またはそのハウジングの近傍に配置され、目視表示手段は、たとえば発光ダイオードなどの発光する光源であってもよく、この光源が点滅動作することによって、人が第２生体情報検出手段に生体情報を提供する動作を促す内容を出力することになる。音響表示手段は、音声合成された信号をスピーカによって音響出力する機能を備えてもよく、これによってたとえば生体情報として手の指の指紋が用いられる場合、「指を置いて下さい。」という音声合成信号の音響出力が、繰返し出力され、これによって人が第２生体情報検出手段に生体情報を提供する動作を促す内容が出力されることになる。人は、たとえば老人であって視力または聴力が劣っている場合があり、このような人であっても、第２生体情報検出手段による生体情報の検出が確実に行われるようにするために、本発明では、目視および音響の各表示手段の両者が、第２場所の装置本体の近傍に設置される。目視表示手段は、たとえば液晶パネルまたは陰極線管などによって実現されてもよい。目視表示手段は、人の手の指の指紋を、第１および第２生体情報検出手段によって検出する構成とした場合、指紋を検出すべき指を提示する検出領域の近傍で、その検出領域を目視表示し、たとえばその検出領域の近傍に点滅する発光ダイオードなどのランプが設置された構成であってもよい。こうして人は、誤りなく第２生体情報検出手段の検出領域に指を提示し、指紋である生体情報を確実に得ることができるようになる。
【００２５】
また本発明は、装置本体は、
上方に開口した尿の投入口を有する投入容器と、
投入容器の下方に配置され、投入容器からの尿が供給され、予め定める貯留量以上の尿を溢流して排出する貯留容器と、
投入容器と貯留容器との間の流路の途中に介在され、尿の流量を検出する流量計と、
貯留容器の尿の比重を検出する比重計とを含み、
第２処理回路は、
流量計の出力に応答し、尿の量を積算して求める演算手段を有し、
尿の量と比重計によって検出された比重とを、第１処理回路に与えることを特徴とする。
【００２６】
また本発明は、貯留容器の尿を、複数の試料容器に分注する手段をさらに含むことを特徴とする。
【００２７】
本発明に従えば、患者はたとえばコップに採取した尿を、蓄尿測定装置本体の投入容器の情報に開口した投入口に投入し、これによって投入容器からの尿が貯留容器に、下方に流れてゆくとき、流量計によって尿の流量が検出され、第２処理回路は、この流量計の出力に応答して尿の総量を積算して１回の尿の量を算出する。貯留容器は、投入容器から供給される尿が多い場合、その尿を溢流して排出し、比重計による尿の比重の検出を確実にする。こうして得られた１回の尿の量と比重とは、第２処理回路から前述のように第１処理回路に、通信手段を介して与えられる。また貯留容器内に貯留された尿は、複数の試料容器に分注され、各種の測定のために用いられてもよい。
【００２８】
また本発明は、装置本体は、
投入容器の上方で投入口を開閉する蓋と、
蓋を開閉動作する蓋駆動手段とを含み、
第２処理回路は、前記照合の結果、第１および第２生体情報が一致しているとき、蓋駆動手段によって蓋を開く動作を行うことを特徴とする。
【００２９】
本発明に従えば、第２処理回路による照合の結果、第１および第２生体情報が一致していれば、蓋駆動手段によって蓋を移動して投入容器の投入口を開く。これによって患者などの人は、たとえばコップに採取した尿を、投入容器の投入口へ投入する操作を誤りなく行うことができる。したがって人が第２生体情報検出手段によって検出されることなく蓄尿測定装置本体による尿の量および比重の測定動作が行われることを回避することができ、第１および第２生体情報の一致したときだけ、その第１および第２生体情報に対応した尿の量および比重の測定値が得られるので、人と測定値との対応を、正確に達成することができる。
【００３０】
【発明の実施の形態】
図１は、本発明の実施の一形態の蓄尿測定装置１の全体の構成を示すブロック図である。病院の第１場所であるナースセンタ２と、ナースセンタ２から離間した第２場所である便所などの汚物処理室３との間で、マイクロコンピュータなどによって実現される第１および第２処理回路４，５が有線または無線の通信装置６，７によって送受信して信号を授受することができ、患者に誤りなく正確に対応した尿の量および比重の測定値を得ることができる。
【００３１】
図２は、ナースセンタ２と汚物処理室３とを含む病院８の一部を簡略化して示す平面図である。階段９によって上下の階が連結され、図２の両側に病棟１１，１２が設けられる。一方の病棟１１には、ナースセンタ２と便所の汚物処理室３とが設けられる。他方の病棟１２にもまた、対応する部分に添え字ａを付して示すナースセンタ２ａと汚物処理室３ａとが設けられる。ナースセンタ２ａおよび汚物処理室３ａに関連してもまた、前述の図１と同様に蓄尿測定装置が設けられる。
【００３２】
再び図１を参照して、ナースセンタ２では、第１生体情報検出手段１４が設けられ、これによって患者の生体情報である右手の人差し指の指紋を検出することができる。看護婦などは、キーボードなどによって実現される入力手段１５を操作することができる。液晶パネルまたは陰極線管などによって実現される目視表示手段１６が備えられ、第１処理回路４の演算処理結果が表示される。処理回路４には、前述の第１生体情報検出手段１４の出力および入力手段１５の出力が与えられる。第１処理回路４には、第１メモリ１７が接続され、演算処理結果がストアされる。さらに第１処理回路４には、第１書込み／読出し手段１８が接続され、着脱可能な記録媒体Ｍ１１に、演算処理結果を書込むことができ、また記録媒体Ｍ１１のストア内容を読出すことができる。記録媒体Ｍ１１は、たとえばＩＣ（集積回路）カードである。
【００３３】
汚物処理室３では、患者の尿の量および比重を測定する蓄尿測定装置本体（以後、装置本体と略称することがある）２１が設けられ、この患者を識別するために、第２生体情報検出手段２２が装置本体２１の近傍に設置される。汚物処理室３には、装置本体２１および第２生体情報検出手段２２に接近したことを検出する人体検出手段２３が備えられる。これらの装置本体２１、第２生体情報検出手段２２および人体検出手段２３の各出力は、第２処理回路５に与えられ、演算処理され、第２メモリ２４にストアされる。第２処理回路５の出力は、目視表示手段２５および音響表示手段２６に与えられ、目視表示および音響出力表示が、それぞれ行われる。第２処理回路５には、記録媒体Ｍ１１の書込みおよび読出しを行う第２書込み／読出し手段２７が接続される。記録媒体Ｍ１１は、ナースセンタ２および汚物処理室３にそれぞれ設置された２つの書込み／読出し手段１８，２７でそれぞれ着脱して使用することができる。第２処理回路５には、演算処理動作を制御するタイマである時計手段２８が内蔵される。
【００３４】
図３は、第１処理回路４に接続される第１メモリ１７のストア内容を簡略化して示す図である。第１メモリ１７には、第１生体情報検出手段１４によって検出された患者の第１生体情報３１がストアされ、また看護婦などの操作者によって入力手段１５が操作されて入力された患者の氏名３２、年齢３３および識別番号（ＩＤ）３４およびそのほかの情報が入力情報３５として入力される。さらに第１メモリ１７にはまた、汚物処理室３に設けられた装置本体２１によって測定された患者の尿の測定値３６である量３７および比重３８の各データが、第１生体情報３１および入力情報３５に個別的に対応してストアされる。
【００３５】
図４は、第２処理回路５に接続される第２メモリ２４のストア内容を簡略化して示す図である。第２メモリ２４には、第２生体情報検出手段２２によって検出された第２生体情報４１がストアされ、また装置本体２１によって測定された測定値４２である患者の尿の量３７および比重３８がストアされる。さらに第２メモリ２４には、通信手段６，７を介して受信した受信情報４３である第１生体情報３１、氏名３２および識別番号３４などの情報がストアされる。この第２メモリ２４では、後述のように、第１生体情報３１および第２生体情報４１が照合されて一致したときのみ、装置本体２１の測定値４２が、その一致している第１および第２生体情報３１，４１に個別的に対応して、ストアされる。測定値４２、さらには第２生体情報４１は、通信装置６，７によって第１処理回路４に伝送され、これらの測定値４２である尿の量３７および比重３８は、図３に関連して前述した第１メモリ１７に書込まれてストアされる。
【００３６】
第１処理回路４に接続される第１書込み／読出し手段１８は、記録媒体Ｍ１１に、前述の図３の第１メモリ１７のストア内容である第１生体情報３１および入力情報３５を書込み、また図３に示される受信測定値３６を記録媒体Ｍ１１から読出すことができる。第２処理回路５に接続される書込み／読出し手段２７は、記録媒体Ｍ１１に、前述の図４に示される第２メモリ２４のストア内容と同様な第２生体情報４１およびその第２生体情報４１に対応した装置本体２１の測定値４２を書込むことができ、また第２処理回路５の照合動作のために、図４の受信情報４３と同様な情報、特に第１生体情報３１を読出すことができる。
【００３７】
図５は、第１処理回路４の動作を説明するためのフローチャートである。患者の蓄尿測定をするにあたり、先ずナースセンタ２では、第１生体情報検出手段１４によって患者の指紋である第１生体情報３１をステップａ１で検出し、さらにステップａ２では、看護婦などの操作者が入力手段１５を操作し、前述の図３に示される情報３５を入力する。これによってステップａ３では、これらの第１生体情報３１および入力情報３５などが第１メモリ１７にストアされて、登録される。ステップａ４では、第１メモリ１７にストアされた内容と同様な内容が、書込み／読出し手段１８によって記録媒体Ｍ１１に同様にストアされる。ステップａ５では、通信手段６，７によって、第１生体情報３１および入力情報３５が第２処理回路５に送信される。
【００３８】
第１処理回路４は、ステップａ６において第２処理回路５から送信手段６，７を介する信号を受信したことを判断すると、その第２処理回路５から受信した図３に示される前述の受信測定値３６である患者の尿の量３７および比重３８を第１メモリ１７にストアする。ステップａ７では、記録媒体Ｍ１１に第１書込み／読出し手段１８によって書込むようにしてもよい。
【００３９】
図６は、第２処理回路５の動作を説明するためのフローチャートである。ステップｂ１において第１処理回路４から通信装置６，７を介する信号を受信したことが判断されると、その受信した内容である図４の受信情報４３を、第２処理回路５は第２メモリ２４に書込んでストアする。ステップｂ３では、尿の測定をすべき患者が汚物処理室３に入ってきて、人体検出手段２３によってその人体が検出されたかどうかが判断される。人体検出手段２３によって患者が装置本体２１に接近したことが検出されると、次のステップｂ４では、目視および音響の各表示手段２５，２６によって指示信号Ａが、表１に示されるように出力される。指示信号Ａというのは、目視表示手段２５によって「指を置いて下さい」、「指紋照合中」およびその検出後の「指を離して下さい」であり、音響表示手段２６によって音声合成された同様な内容が音響出力される。これによって患者が第２生体情報検出手段２２の検出領域４５（後述の図１０参照）に右手の人差し指の指紋である第２生体情報を提供する動作を促す内容が出力されることになる。
【００４０】
【表１】
2004279164.tif 000003
【００４１】
表１において「光電センサー」というのは、汚物処理室３における人体検出手段２３である。「液面センサー」というのは、装置本体２１に設けられた尿の投入を検出する検出手段である。
【００４２】
第２生体情報検出手段２２の検出領域４５の近傍には、目視表示手段２５１が設けられ、この目視表示手段２５１は、発光ダイオードなどの光を発生する素子などによって実現されてもよい。目視表示手段２５１が点灯し、または点滅することによって、患者は、第２生体情報検出手段２２の検出領域４５を、容易に知ることができ、患者の生体情報の提供動作が、容易になる。
【００４３】
ステップｂ５では、第２生体情報検出手段２２による患者の指紋である第２生体情報の検出が行われ、その第２生体情報は、ステップｂ６において第２メモリ２４に図４の参照符４１で示されるようにストアされる。
【００４４】
ステップｂ７では、第２メモリ２４にストアされている第１および第２生体情報３１，４１の照合を行い、その照合の結果、ステップｂ８で一致していれば、ステップｂ１０に移り、一致していなければ、ステップｂ９に移る。この不一致時におけるステップｂ９の指示信号Ｂは、表２に示されるように、目視および音響の各表示手段２５，２６によって行われる。
【００４５】
【表２】
2004279164.tif 000004
【００４６】
ステップｂ８において一致していることが判断されたとき、ステップｂ１０では、指示信号Ｃ（前述の表１参照）を、目視および音響の各表示手段２５，２６によって出力する。指示信号Ｃは、目視表示手段２５によって「尿を投入して下さい」という表示が行われ、これによって患者はコップに採取した尿を、装置本体２１に投入する。音響表示手段２６は、装置本体２１の動作である「蓋が開きます」を音響出力し、さらに蓋が開いた後、「尿を投入して下さい」を音響出力する。目視および音響の各表示手段２５，２６のそのほかの動作は、表１に示されるとおりである。
【００４７】
ステップｂ１１において装置本体２１による投入された尿の量および比重の測定動作が行われる。この装置本体２１による測定値４２は、前述の図４に示されるように第２メモリ２４にストアされ、ステップｂ１３では、同様にして第２書込み／読出し手段２７によって記録媒体Ｍ１１にストアされる。こうして得られた測定値４２、さらには第２生体情報４１は、ステップｂ１４において通信装置６，７を介して第１処理回路４に送信され、前述のように第１メモリ１７にストアされて、各種の希望する演算処理動作が行われることになる。
【００４８】
図７は、蓄尿測定装置本体２１の全体の構成を簡略化して示す系統図である。投入容器４７は、上方に開口した尿の投入口４８を有し、蓋４９は、投入口４８を開閉自在である。蓋駆動手段５１は、蓋４９を開閉駆動する。
【００４９】
投入容器４７に投入された尿は、その投入容器４７の下部から第１管路５２を経て貯留容器５３に供給される。この貯留容器５３では、予め定める貯留量以上の尿を溢流して第２および第３管路５４，５５から第４管路５６を経てタンク５７に排出し、第５管路５８から外部に排出する。投入容器４７から溢れた尿もまた、第６管路５９から第４管路５６を経てタンク５７に導かれる。
【００５０】
貯留容器５３の下部からは、第７管路６１を経て複数のサンプル容器である試料容器６２に選択的にそれぞれ供給され、あるいはまた第８管路６３からタンク５７に排出される。第７管路６１から試料容器６２または第８管路６３に尿を供給するために、分注手段６４が設けられる。投入容器４７および貯留容器５３などの洗浄のために、水道水６５は、第９管路６６を経てノズル６７に供給される。このノズル６７には洗浄液タンク６８からの洗浄液が第１０管路６９を経て水道水とともに混合されて供給される。
【００５１】
第９管路６６には、水道水の供給遮断を行うために逆止弁７１と第１電磁開閉弁Ｖ１とがこの順序で上方から下流に配置される。投入容器４７と貯留容器５３との間の第１管路５２には、第２電磁開閉弁Ｖ２が介在される。貯留容器５３から分注手段６４に尿を導く第７管路６１には、第３電磁開閉弁Ｖ３が設けられる。投入容器４７から尿を貯留容器５３に導く第１管路５２の途中には、尿の流量を検出する流量計ＦＴが設けられる。この流量計ＦＴの出力は、第２処理回路５に与えられる。貯留容器５３の下部には、尿の比重を検出する比重計ＱＴが設けられる。比重計ＱＴによって検出された尿の比重を表す信号もまた、第２処理回路５に与えられる。
【００５２】
洗浄液タンク６８からの洗浄液は、ポンプ７３によって前述のように第１０管路６９からノズル６７に供給される。第１〜第３電磁開閉弁Ｖ１〜Ｖ３およびポンプ７３は、第２処理回路５によって制御される。
【００５３】
図８は、目視表示手段７５の蓄尿測定装置本体２１によって測定された尿の量および比重を表示した画面の正面図である。患者の氏名、年齢、尿の各回毎のたとえば合計１５回にわたる測定された比重（単位ｇ／ｃｍ３）および量（単位ｍＬ）が、時間経過に伴う履歴で、棒グラフによって表示される。
【００５４】
図９は蓄尿測定装置本体２１の簡略化した平面図であり、図１０は装置本体２１の左側方から見た断面図であり、図１１は装置本体２１の正面から見た断面図であり、図１２は装置本体２１の右側方から見た断面図であり、図１３は装置本体２１の背面図であり、図１４は図１１の切断面線ＸＩＶ−ＸＩＶから見た簡略化した水平断面図である。これらの図面を参照して、水平面内の形状がほぼ長方形であるハウジング７５の上部で背後側（図９の上方、図１０の左方、図１２の右方）で左側部には、第２生体情報検出手段２２が設けられる。このハウジング７５の上部には、蓋４９が、背後寄りに設けられた蓋駆動手段５１によって矢符７６（図１３参照）に角変位可能に設けられる。ハウジング７５の背後には、水道水６５を導く管路が接続される。ハウジング７５にはまた、操作者によって操作される入力手段７７，７８が設けられ、これらの入力手段７７，７８の出力は、第２処理回路５に与えられる。蓋４９は、水平な軸線７９まわりに、前述の矢符７６のように開閉可能である。
【００５５】
第１管路５２は可撓管から成り、第２電磁開閉弁Ｖ２は、作動片８１が受け片８２に近接する方向に電磁プランジャ８３の励磁によって駆動され、これによって第１管路５２が押し潰されて閉じられ、電磁プランジャ８３が消磁されることによって第１管路５２が、その第１管路５２の弾発力によって拡がって開弁状態となる。このような第２電磁開閉弁Ｖ２の構成は簡単であり、また第１管路５２内の洗浄が容易であるという優れた効果が達成される。残余の第１および第３電磁開閉弁Ｖ１，Ｖ３もまた、可撓管から成る第９および第７管路６６，６１に関連して同様に構成される。
【００５６】
貯留容器５３内には上下に延びる溢流管８４が立設される。貯留容器５３内に貯留された尿の液位が、溢流管８４の上端部８５を超えると、尿は溢流して溢流管８４内に入り、第２管路５４からタンク５７に導かれて排出される。
【００５７】
図１５は、投入容器４７の投入口４８付近の一部の拡大断面図である。ノズル６７には、第９管路６６から水道水が圧送され、また第１０管路６９を経て洗浄液タンク６８からの洗浄液がポンプ７３によって供給される。ノズル６７のノズル孔８６は、中空円錐状の投入容器４７の内面に沿って矢符８７で示されるように、水道水と洗浄液との混合液体を、噴射する。ノズル孔８６は、投入容器４７の軸線を通る縦の仮想平面内における投入容器４７の内周面に対して、角度θ１だけ傾斜して内周面に向けて前記混合液体を噴射し、これによって洗浄が確実になる。
【００５８】
図１６は分注手段６４の一部の簡略化した断面図であり、図１７は図１２の切断面線ＸＶＩＩ−ＸＶＩＩから見た分注手段６４の簡略化した水平断面図である。分注ノズル９１は、旋回アーム９２の端部に、下向きに取付けられる。このアーム９２は、鉛直軸線９３まわりに対称線９４に関して時計方向および反時計方向に１８０度それぞれ角変位可能に設けられる。アーム９２の基端部に固定された回転軸９５は、プーリ９６に固定され、ベルト９７がもう１つのプーリ９８に巻掛けられ、モータ９９によって駆動される。アーム９２には、エンコーダ１０１が固定される。エンコーダ１０１は、周方向に被検出部が形成された円板１０２と、この円板１０２の被検出部を光学的に検出するフォトインタラプタ１０３とを含む。これによってノズル９１は、周方向に間隔をあけて配置された複数の試料容器６２の上方に開口した開口部の直上に選択的に、軸線９３まわりの角変位によって位置することができるとともに、図１７に示されるように、これらの試料容器６２が設けられていない位置に分注ノズル９１が設けられることによって、分注ノズル９１からの尿は、第８管路６３に導かれ、タンク５７に排出され、また洗浄時の前記混合液体も同様にして排出される。
【００５９】
図１８は、試料容器６２およびハウジング７５の下部付近の左側方から見た簡略化した断面図である。複数の試料容器６２は、受け具６５によって前述の分注ノズル９１の旋回軸線９３まわりに周方向に等間隔をあけて配置され、受け具１０５から個別的に取出し可能とされる。この受け具１０５は、ハウジング７５の下部に対を成して設けられたレール１０６によって前方（図１８の右方）に、図１８の収納状態から取出すことができる。ハウジング７５の前部には、縦の軸線１０８まわりに角変位可能な扉１０９が設けられ、この扉１０９は、仮想線１１１（図１４参照）のように開くことができる。
【００６０】
図１９は、第２処理回路５による蓄尿測定装置本体２１の動作を説明するためのフローチャートである。この図１９に示される動作は、前述の図６のステップｂ１１において実行される。ステップｃ１において蓋駆動手段５１は、蓋４９を駆動して開く。これによって患者は、コップなどに採取した尿を、上方に開口した投入容器４７の投入口４８に投入する。ステップｃ２では流量計ＦＴによって流量が検出され、尿の流量は、この流量計ＦＴの出力を積算して求める。このような流量計ＦＴの出力を積算して演算する動作は、第２処理回路５によって実行される。
【００６１】
ステップｃ３では、比重計ＱＴによって比重が検出される。第１〜第３電磁開閉弁Ｖ１〜Ｖ３およびポンプ７３の第２処理回路５による動作は、次の表３のとおりである。
【００６２】
【表３】
2004279164.tif 000005
【００６３】
ステップｃ４では、分注手段６４が動作し、試料容器６２に分注しないとき、第３電磁開閉弁Ｖ３を開き、貯留容器５３内の尿を、タンク５７から外部に排出する。貯留容器５３内の尿を複数の試料容器６２に分注するとき、エンコーダ１０１によって検出される位置にモータ９９が回転動作してノズル９１による各試料容器６２への尿の分注動作が、第３電磁開閉弁Ｖ３の開閉動作と連動して、行われる。
【００６４】
ステップｃ５では、水道水６５および洗浄液タンク６８内の洗浄液を用いて、第９管路６６、投入容器４７、貯留容器５３および分注手段６４の洗浄動作が行われ、このときノズル９１からの水道水と洗浄液との混合液体は、第８管路６３からタンク５７を経て排出される。こうして次の患者の尿の量、比重の測定のための準備動作に戻り、ステップｂ１１が、前述の図６の動作のとおりに、実行されることになる。
【００６５】
第１および第２場所にそれぞれ設置される第１および第２生体情報検出手段によって検出される生体情報は、同一種類のものであって、前述のように指紋、眼底血管像、声紋のうちの１つであってもよく、さらにそのほかの人の識別機能を達成する生体情報であってもよい。
【００６６】
ナースセンタ２に設けられる第１処理回路４は、通信装置６，７によって、複数の汚物処理室３に設けられる第２処理回路５に信号を授受するような構成であってもよい。また汚物処理室３には、装置本体２１と第２生体情報検出手段２２とだけが設置され、第２処理回路５が省略され、第２処理回路５の動作は、第１処理回路４によって実行されるようにしてもよい。この場合、第１処理回路４は、通信装置６，７によって、複数の装置本体２１および第２生体情報検出手段２２に信号を授受するようにしてもよい。
【００６７】
【発明の効果】
本発明によれば、患者などの人の尿の量および比重の測定値を誤りなく正確に対応して得ることが確実になる。本発明は、人の尿の量と比重との測定値に関連して実施されるだけでなく、そのほかの人体に関連する化学量、物理量の測定値に関連して広範囲に実施することもできる。
【図面の簡単な説明】
【図１】本発明の実施の一形態の蓄尿測定装置１の全体の構成を示すブロック図である。
【図２】ナースセンタ２と汚物処理室３とを含む病院８の一部を簡略化して示す平面図である。
【図３】第１処理回路４に接続される第１メモリ１７のストア内容を簡略化して示す図である。
【図４】第２処理回路５に接続される第２メモリ２４のストア内容を簡略化して示す図である。
【図５】第１処理回路４の動作を説明するためのフローチャートである。
【図６】第２処理回路５の動作を説明するためのフローチャートである。
【図７】蓄尿測定装置本体２１の全体の構成を簡略化して示す系統図である。
【図８】目視表示手段７５の蓄尿測定装置本体２１によって測定された尿の量および比重を表示した画面の正面図である。
【図９】蓄尿測定装置本体２１の簡略化した平面図である。
【図１０】蓄尿測定装置本体２１の左側方から見た断面図である。
【図１１】蓄尿測定装置本体２１の正面から見た断面図である。
【図１２】蓄尿測定装置本体２１の右側方から見た断面図である。
【図１３】蓄尿測定装置本体２１の背面図である。
【図１４】図１１の切断面線ＸＩＶ−ＸＩＶから見た簡略化した水平断面図である。
【図１５】投入容器４７の投入口４８付近の一部の拡大断面図である。
【図１６】分注手段６４の一部の簡略化した断面図である。
【図１７】図１２の切断面線ＸＶＩＩ−ＸＶＩＩから見た分注手段６４の簡略化した水平断面図である。
【図１８】試料容器６２およびハウジング７５の下部付近の左側方から見た簡略化した断面図である。
【図１９】第２処理回路５による蓄尿測定装置本体２１の動作を説明するためのフローチャートである。
【符号の説明】
１  蓄尿測定装置
２  ナースセンタ
３  汚物処理室
４  第１処理回路
５  第２処理回路
６，７  通信装置
１４  第１生体情報検出手段
１５  入力手段
１６，２５  目視表示手段
１８，２７  書込み／読出し手段
２１  蓄尿測定装置本体
２２  第２生体情報検出手段
２３  人体検出手段
２６  音響表示手段
３１  第１生体情報
４１  第２生体情報
４７  投入容器
４８  投入口
４９  蓋
５０  蓋駆動手段
６２  試料容器
６４  分注手段
７１  逆止弁
８１  作動片
８２  受け片
８３  電磁プランジャ
８４  溢流管
【図１】
2004279164.tif 000006
【図２】
2004279164.tif 000007
【図３】
2004279164.tif 000008
【図４】
2004279164.tif 000009
【図５】
2004279164.tif 000010
【図６】
2004279164.tif 000011
【図７】
2004279164.tif 000012
【図８】
2004279164.tif 000013
【図９】
2004279164.tif 000014
【図１０】
2004279164.tif 000015
【図１１】
2004279164.tif 000016
【図１２】
2004279164.tif 000017
【図１３】
2004279164.tif 000018
【図１４】
2004279164.tif 000019
【図１５】
2004279164.tif 000020
【図１６】
2004279164.tif 000021
【図１７】
2004279164.tif 000022
【図１８】
2004279164.tif 000023
【図１９】
2004279164.tif 000024